(57)【特許請求の範囲】
【請求項１】
ゴルフ製品情報、顧客情報を登録保存するデータベースと、演算処理手段と、通信ネットワークと接続される通信手段を含むサーバーを備え、
上記サーバーは通信ネットワークを介して、ゴルフ打撃計測機で計測された顧客の打撃時のゴルフスイングおよび打撃結果を受信し、この受信した計測結果に基づき解析して、データベースに保存されているゴルフ製品情報の中から顧客に適する推奨製品を選択すると共に、その選択した推奨製品情報を顧客側に提示し、かつ、該サーバーは、上記ゴルフ打撃計測機に付設された通信手段を介して顧客が推奨製品情報の中から選択した発注を受信できる構成としているゴルフ製品選択装置。
【請求項２】
ゴルフ製品情報、顧客情報を登録保存するデータベースと、演算処理手段と、通信ネットワークと接続される通信手段を含むサーバーを備え、
上記サーバーは通信ネットワークを介して、ゴルフ打撃計測機で計測された顧客の打撃時のゴルフスイングおよび打撃結果を受信し、この受信した計測結果に基づき解析して、データベースに保存されているゴルフ製品情報の中から顧客に適する推奨製品を選択すると共に、その選択した推奨製品情報を顧客側に提示し、かつ、該サーバーは、ゴルフ打撃計測機で付与される顧客個有の登録パスワードを、顧客情報と共に受信して、データベースに登録しておく構成としているゴルフ製品選択装置。
【請求項３】
上記サーバーは通信ネットワークを介して端末機器に接続され、
上記サーバーは上記端末機器にゴルフ製品情報を送信可能とし、かつ、上記端末機器より上記登録パスワードを受信すると、登録パスワードに該当する顧客の情報を上記端末機器に送信して提示する構成としている請求項２に記載のゴルフ製品選択装置。
【請求項４】
上記サーバーと接続される端末機器は、ゴルフ製品販売店あるいは／および顧客が所持し、これら端末機器からのゴルフ製品の発注をサーバーが受信できる構成としている請求項３に記載のゴルフ製品選択装置。
【請求項５】
ゴルフ製品情報、顧客情報を登録保存するデータベースと、演算処理手段と、通信ネットワークと接続される通信手段を含むサーバーを備え、
上記サーバーは通信ネットワークを介して、ゴルフ打撃計測機で計測された顧客の打撃時のゴルフスイングおよび打撃結果を受信し、この受信した計測結果に基づき解析して、データベースに保存されているゴルフ製品情報の中から顧客に適する推奨製品を選択すると共に、その選択した推奨製品情報を顧客側に提示し、かつ、該サーバーのゴルフ製品情報に新製品が加えられて製品情報データが更新されると、更新されたゴルフ製品の中から、登録された顧客情報に基づいて推奨製品を解析し、顧客のメールアドレスへ推奨製品情報を送信する構成としているゴルフ製品選択装置。
【請求項６】
上記サーバーは、上記ゴルフ打撃計測機あるいは／および上記端末機器から入力される顧客の体型、体力、顧客の嗜好に関する顧客固有情報を登録保存し、
上記顧客固有情報も判断材料として顧客に適する推奨製品を選択する構成としている請求項３乃至請求項５のいずれか１項に記載のゴルフ製品選択装置。
【請求項７】
上記サーバーからの推奨製品の提示は、該サーバーから上記ゴルフ打撃計測機に送信し、該ゴルフ打撃計測機に付設されたデータ表示手段で表示して行う構成としている請求項１乃至請求項６のいずれか１項に記載のゴルフ製品選択装置。
【請求項８】
上記サーバーのデータベースの保存されるゴルフ製品情報は、メーカーあるいはゴルフ製品販売店から上記サーバーに入力され、該ゴルフ製品情報にはゴルフクラブ、ゴルフボールが含まれ、上記ゴルフクラブにはレディメイドのものと各部品を組み合わせてなるカスタムメイドのものが含まれている請求項１乃至請求項７のいずれか１項に記載のゴルフ製品選択装置。
【請求項９】
上記サーバーに入力される情報は、上記ゴルフ打撃計測機で計測される顧客の打球時におけるヘッドスピード、ボール打出初速、打出角、スピン方向、スイング軌跡、フェース方向、打点である請求項１乃至請求項８のいずれか１項に記載のゴルフ製品選択装置。
【請求項１０】
上記サーバーと接続される上記ゴルフ打撃計測機は、ゴルフ製品販売店、ゴルフ練習場、ゴルフコース、ゴルフスクールあるいは／および顧客の自宅等の複数箇所に設けられたもので、
上記いずれかのゴルフ打撃計測機で計測された計測結果を上記サーバーで受信して、同一顧客の計測結果を時系列で蓄積登録し、蓄積登録された複数回の計測結果より推奨製品を選択する請求項１乃至請求項９のいずれか１項に記載のゴルフ製品選択装置。
【発明の詳細な説明】
【０００１】
【発明の属する技術分野】
本発明はゴルフ製品選択装置に関し、詳しくは、ゴルフ打撃計測機による顧客の実際の打撃計測結果に基づいて、顧客に最適なゴルフクラブ等のゴルフ製品を推奨提示できるようにすると共に、新製品情報の提示や、製品発注および受注業務等の効率化を図るものである。
【０００２】
【従来の技術】
ゴルファーにとって、使用するゴルフクラブやゴルフボールの種類はプレー内容を左右し、各個人に応じた適切なゴルフクラブやゴルフボールを選ぶことが必要である。特に、ゴルフクラブはスイング時の癖や体力等に適応したものを選ぶことが、ゴルフ上達の点から重要となる。
しかし、ゴルファーは自分自身のゴルフスイング時の特徴等を明確に把握することは困難であり、販売店等のアドバイスを参考にしたり、あるいは、ゴルフ打撃計測機等を用いてゴルフスイングに関する客観的な各種データを求めて、ゴルフ製品を選び出す場合が多い。
【０００３】
ゴルフ打撃計測機には、従来より様々なものがあり、図７は、その中の一つのゴルフ打撃計測機１で、ＣＣＤカメラ２や光学センサー式計測器３を計測器本体１ａに接続して構成されている。計測機本体１ａには各種計測データを算出するプログラムやゴルフ製品情報等が保存されている。
【０００４】
このゴルフ打撃計測機１により顧客のゴルフスイングをＣＣＤカメラ２、計測器３で計測すると、計測に関するデータが計測器本体１ａに取り込まれる。このデータを基にゴルフ打撃計測機１はヘッドスピード、打出ボール初速、打出角度、スピン方向、飛距離等を算出すると共に、算出データを比較判断して顧客に適するゴルフクラブを画面１ｂに表示している。なお、ゴルフ打撃計測機には、データの計測等のみを行い、販売店員等が計測データを解析して顧客に適するゴルフクラブ等を推奨する場合もある。
【０００５】
【発明が解決しようとする課題】
上記ゴルフ打撃計測機は、通常、全国各地の販売店等に設置されているが、各ゴルフ打撃計測機は通信ネットワーク等で繋がれていない単体機である。よって、ゴルフ打撃計測機に保存されているプログラムや製品情報等を更新する場合は、各計測機毎に更新を行う必要があり、手間と時間がかかる問題がある。特に、昨今は、製品のモデルチェンジが早まり、更新の間隔が短くなっていると共に計測機を設置する販売店等も増加しているため、更新にかかる手間の増大にも拍車がかかっている。
【０００６】
また、販売店員等がゴルフ打撃計測機による計測データを解析する場合では、どうしても、ゴルフ製品の選択において販売店員等の主観が入り込むため、客観的な判断から乖離するおそれもある。特に、クラブヘッド、シャフト、グリップといった各部品を組み合わせて作り上げるカスタムメイドのゴルフクラブでは、クラブヘッド等の各部品毎に何種類もあるため、これらの順列組合せで何十種類にも及ぶゴルフシャフトを作ることが可能であるが、計測データを基に適切な各部品を選択していくのは非常に困難となる。
【０００７】
さらに、推奨したゴルフクラブ等のゴルフ製品が、販売店等に在庫が無ければ、新たにメーカーや卸業者等に電話やＦＡＸ等を使用して発注する新たな業務が生じる。また、この際、推奨したゴルフ製品が上述したカスタムメイド製品等であれば、各部品の選択が複雑な上に納期がかかるため、発注を急ぐあまり品番間違い等が発生することも過去の経験より明らかである。
【０００８】
一方、計測するデータに視点を移すと、ゴルフのスイングは、一般にその日の体調や習熟の度合い等により日々微妙に変化するものであり、一回限りの計測では、顧客に最適なゴルフ製品を選び出すのは困難である。かといって、顧客のデータを保存している同一の販売店等へ顧客に何度も出向いてもらい、計測を行うのも顧客に無理を強いることとなり現実的ではない。
【０００９】
本発明は、上記した種々の問題に鑑みてなされたものであり、
ゴルフ打撃計測機に対するプログラムや製品情報等の更新にかかる手間等を低減すること；
顧客のデータ計測を同一箇所に限定されることなく計測機が設置されている場所であれば何れの箇所でも可能にして、計測された複数回のデータより顧客に最適なゴルフ製品を選びだすこと；
製品の受注も容易かつ確実にすること等を課題としている。
【００１０】
【課題を解決するための手段】
上記課題を解決するため、本発明は、ゴルフ製品情報、顧客情報を登録保存するデータベースと、演算処理手段と、通信ネットワークと接続される通信手段を含むサーバーを備え、
上記サーバーは通信ネットワークを介して、ゴルフ打撃計測機で計測された顧客の打撃時のゴルフスイングおよび打撃結果を受信し、この受信した計測結果に基づき解析して、データベースに保存されているゴルフ製品情報の中から顧客に適する推奨製品を選択すると共に、その選択した推奨製品情報を顧客側に提示し、かつ、該サーバーは、上記ゴルフ打撃計測機に付設された通信手段を介して顧客が推奨製品情報の中から選択した発注を受信できる構成としているゴルフ製品選択装置を提供している。
【００１１】
上記サーバーからの推奨製品の提示は、サーバーから上記ゴルフ打撃計測機に送信し、該ゴルフ打撃計測機に付設されたデータ表示手段で表示して行う構成としている。
即ち、通信ネットワークを介してサーバーとゴルフ打撃計測機を接続し、双方通信により、顧客情報をサーバーが受信し、該情報に基づいて、サーバーより推奨製品を送信している。
【００１２】
このように、ゴルフ打撃計測機を単体で使用するのではなく、サーバーを中心にした通信ネットワークに接続して、各種データの双方向通信を可能にし、迅速にゴルフに関する各種情報を提供できる。例えば、ゴルフ打撃計測機に必要なプログラムや製品情報等は、サーバーに登録保存すると共に、ゴルフ打撃計測機は必要な時にサーバーよりプログラム等を受信することで、ゴルフ打撃計測機にはゴルフ製品情報を保存する必要がなくなる。
【００１３】
さらに、新しい計測機用のプログラムや新製品の発売等によりデータ等の更新が必要な場合であっても、サーバー内の記憶データのみを更新すればよく、従来のように、各ゴルフ打撃計測機毎にデータ等の更新をする必要がなくなり、更新に要する手間やコストを大幅に低減でき、更新自体も素早く行える。また、顧客データをサーバーで一括管理して保存することで、複数回の計測データが保存可能となり、よって、一回のみのデータを基に選択を行うより、複数回のデータより選択を行った方が、より顧客の特性に応じたゴルフ製品を選び出すことができる。
【００１４】
上記ゴルフ打撃計測機がゴルフ製品販売店、ゴルフ練習場、ゴルフコース、ゴルフスクールあるいは／および顧客の自宅等の複数箇所に設けられている場合、同一顧客は何れのゴルフ打撃計測機で計測しても、その計測結果が上記サーバーが受信でき、サーバーは同一顧客の計測結果として時系列で蓄積登録し、蓄積登録した複数回の計測結果より推奨製品を選択する構成としている。
【００１５】
このように、各ゴルフ打撃計測機を通信ネットワークでサーバーに接続しているため、顧客は同一のゴルフ打撃計測機で計測を行う必要がなく、全国にある何れのゴルフ打撃計測機で計測してもサーバーにデータを蓄積でき、また、データの収集に要する労力も低減できる。よって、顧客が容易に何回でも計測できるように、ゴルフ打撃計測機は販売店等だけでなく、上記のように、顧客がよく出向くと思われるゴルフコース、ゴルフ練習場等にも設置することが好ましい。
【００１６】
サーバーのデータベースに蓄積されるゴルフ製品情報には、ゴルフクラブ、ゴルフボールが含まれ、上記ゴルフクラブにはレディメイドのものと各部品を組み合わせてなるカスタムメイドのものが含まれている。
ゴルフクラブはゴルフをする上で最もプレーに直結する製品である。よって、顧客に最も適したゴルフクラブの情報を提示することが重要であり、サーバーよりデータを提示できることで、顧客の特性をきめ細かく解析して、最適なゴルフクラブを選び出すことができる。
【００１７】
さらに、既製品となるレディメイドのゴルフクラブに適するものがない場合等でも、サーバーにカスタムメイドに関する製品情報を保存しておくことで、クラブヘッド、シャフト、グリップといった各部品を適切に組み合わせるカスタムメイドのゴルフクラブに対しても、サーバーに蓄積された顧客の計測データを基に客観的な判断に基づき最適な各部品を選び出して、一段と顧客の特性に合致したカスタムメイドのゴルフクラブを顧客へ提示できる。
【００１８】
また、ゴルフクラブだけでなく、ゴルフボールも飛び重視のものからコントロール重視のものまで幅広く種類が存在し、顧客の指向するゴルフスタイルに合致するゴルフボール選択も適切に提示できる。なお、提供できるゴルフ製品情報はゴルフクラブやゴルフボールに限定されるものではなく、スパイク、ウェア、バック等のあらゆるゴルフ製品情報を提示することが可能である。
【００１９】
さらに、サーバーは、提示したゴルフ製品情報の中から顧客が選択したゴルフ製品の発注を受けることが出来るようにしている。
このように、発注をサーバーで受信できるようにすると、従来、顧客の発注を受けて生じていた受注業務を通信ネットワーク上で行え、受注に要していた手間が全くかからなくなる上に、受注は推奨提示されたゴルフ製品の中から受けるため、品番間違い等の不具合発生も解消できる。
【００２０】
上記サーバーと接続されるゴルフ打撃計測機は、顧客のゴルフスイングに対して、少なくともヘッドスピード、ボール打出初速、打出角、スピン方向、スイング軌跡、フェース方向、打点を計測し、その計測結果をサーバーに送信し、サーバーは受信できるようにしている。上記のような項目の計測結果をデータとして持つことにより、サーバーの演算処理手段により、ゴルフ製品の中で、特に、顧客に適するゴルフクラブやゴルフボールを解析して、選び出すことができる。なお、サーバーにおける解析を精度良くに行うため、上記以外の項目を計測するようにしてもよい。
【００２１】
また、上記サーバーは、ゴルフ打撃計測機が計測する顧客に付与する個有の登録パスワードを受信し、かつ、この登録パスワードを顧客情報と共にデータベースに登録保存できるゴルフ製品選択装置を提供している。
このように、顧客が一度ゴルフ打撃計測機で計測を行うと、顧客固有の登録パスワードを付与されると共に顧客に対するゴルフ製品情報の提示には登録パスワードの入力を必要とすれば、第三者は他者の情報等を見ることができず、顧客情報のデータ機密を高くして情報の漏洩を防ぐことができる。
【００２２】
上記サーバーは通信ネットワークを介して端末機器と接続し、該端末機器へもサーバーからゴルフ製品情報の送信可能にし、上記登録パスワードを端末機器に入力すると、登録パスワードに該当する顧客の情報を提示する構成としている。
このように、通信ネットワークにサーバーと接続している端末機器へもゴルフ製品情報を送信すると、端末機器での閲覧が可能となり、後から何度でも推奨されたゴルフ製品情報や自身の計測画像等を確認することができ、製品購入時の情報収集に活用できる。
【００２３】
上記端末機器には、ゴルフ製品の販売店に設置されるもの、顧客が有するものが含まれ、上記端末機器からも製品をサーバーへ発注可能としている。
また、本発明は、上記サーバーのゴルフ製品情報に新製品が加えられて製品情報データが更新されると、更新されたゴルフ製品の中から、登録された顧客情報に基づいて推奨製品を解析し、顧客のメールアドレスへ推奨製品情報を送信する設定としているゴルフ製品選択装置を提供している。
このように、サーバーを、販売店や顧客が所持する端末機器と通信ネットワークを介して接続すると、迅速にゴルフ製品情報を提示することができる。
【００２４】
例えば、販売店の端末機器を使用すれば、推奨されたゴルフ製品の実物を店内で即座に確かめることもでき、店員等から提示された製品に対する生の評判等を聞くことができる。一方、顧客が所持する端末機器を利用すれば、わざわざ販売店へ出向くことなく、自分に適した推奨ゴルフ製品情報を取り出すことができる。  なお、上記端末機器としては、パソコンや各種携帯端末機器、携帯電話等を挙げられる。
【００２５】
また、新製品が発売されてサーバー内の製品情報が更新されると、サーバーは登録されている顧客の計測データに対する新製品の適否を判断して、適応する顧客には新製品情報として顧客のメールアドレスへ送信することで、素早く顧客へ有益な情報を届けることができる。
【００２６】
また、上記サーバーは、上記ゴルフ打撃計測機あるいは／および上記端末機器から入力される顧客の体型、体力、顧客の嗜好に関する顧客固有情報を登録保存し、上記顧客固有情報も判断材料として顧客に適する推奨製品を選択する構成としてもよい。
【００２７】
このように顧客の体型、体力やゴルフスタイルに関するデータも端末機器等からもサーバーへ入力可能にすると、サーバーが顧客に適するゴルフ製品を判断する際に上記データも加味することができ、より一段と顧客の要望に合致するゴルフ製品情報を提供して、顧客の製品選択を補助できる。
【００２８】
【発明の実施の形態】
以下、本発明の実施形態を図面を参照して説明する。
図１は、本発明にかかるゴルフ製品選択装置１０を含むシステム全体を示し、ゴルフ製品選択装置１０はサーバー１１を備え、該サーバー１１は、データベース１１ａ、演算処理手段１１ｂ、通信手段１１ｃ、表示手段１１ｄを備えている。
【００２９】
サーバー１１は、その通信手段１１ｃをゴルフ打撃計測機１２−１〜Ｘおよび端末機器１３の通信手段と通信ネットワーク１４を介して接続し、該通信手段１１ｃより入力される各顧客データをデータベース１１ａに登録保存している。通信ネットワーク１４としては、電話回線網等を利用するインターネットや独自のＷＡＮ等を使用している。また、サーバー１１にはゴルフメーカからのゴルフ製品情報も逐次入力され、これら入力された情報をデータベース１１ａに保存している。さらに、ネットワークの管理、製品の選択判断、顧客からの発注を受ける受注等を行うプログラムも有しており、サーバー１１はこれらプログラムに基づいて作動している。
【００３０】
上記データベースの内容は適宜更新可能であり、新製品が発売されるとゴルフ製品情報を更新し、また、新規の顧客の各種情報や既存の顧客の追加情報がサーバー１１へ送信されると、顧客毎に保存しているデータベースに新たな顧客を追加したり、既存の顧客情報に新たなデータを追加して顧客情報を蓄積している。
【００３１】
上記ゴルフ製品情報の内容としては、ゴルフクラブ、ゴルフボール、スパイク、ウェア、バック等といったゴルフに関する製品情報が含まれている。その中でもゴルフクラブ、ゴルフボールに対しては、ゴルフ打撃計測機１２の計測結果より内蔵した演算装置により解析して、ゴルファーに適した推奨製品を選択できるように設定している。ゴルフクラブに対しては、既製品となるレディメイド品とクラブヘッド、シャフト、グリップといった各部品を組み合わせてなるカスタムメイド品も対象としている。
【００３２】
さらに、サーバー１１には、上記データベースにはプログラム以外にもゴルフ打撃計測機１２−１〜Ｘ用のプログラムも保存している。保存されているプログラムの種類としては、画像取り込みプログラム、座標数値変換プログラム、画面表示プログラム、商品連動プログラム等があり、これら各プログラムの内容、機能等が高められてバージョンアップされると、バージョンアップしたプログラムも新たに保存するようにしている。
【００３３】
一方、ゴルフ打撃計測機１２（１２−１〜Ｘ）は、顧客のゴルフスイングを計測し、計測結果をサーバー１１へ送信し、該サーバー１１から送信されてくる推奨ゴルフ製品を付設したデータ表示手段（モニター）で提示するものである。このゴルフ打撃計測機１２は全国のゴルフ販売店やゴルフ練習場等に設置されて、サーバー１１に接続される。
なお、ゴルフ打撃計測機１２を設置するには、実際にゴルフクラブでゴルフボールを試打して計測を行うため、ネットで囲うスイングが可能な一定の広さを有するスペースをとっている。
【００３４】
図２に示すように、ゴルフ打撃計測機１２は、ゴルフスイングの画像データを取り込むＣＣＤカメラ１５や、各種計測を行う光学センサー式計測器１６を計測機本体１２ａに接続している。また、計測機本体１２ａには、メニュー画面、データ、スイング状態等を表示するモニター１２ｂを設けており、本実施形態ではタッチ式のものを採用している。さらに、計測機本体１２ａには、通信ネットワーク１４へ接続する、モデム、ターミナルアダプター、あるいは、ルーター等の通信手段１２ｃを付設している。
【００３５】
ゴルフ打撃計測機１２は、ＣＣＤカメラ１５や光学センサー式計測器１６で顧客のゴルフスイングを取り込んで、ヘッドスピード、ボール打出初速、打出角、スピン方向、スイング軌跡、フェース方向、打点を計測すると共に、計測結果をサーバー１１へ送信している。サーバー１１では入力される画像データをプログラムにしたがって演算処理手段１１ｂで数値解析している。
【００３６】
ゴルフ打撃計測機１２は、上記計測に要するプログラムを通信ネットワーク１４を介してサーバー１１より計測機本体１２ａに内蔵しているハードディスク等の記憶媒体に取り込んでいる。
また、プログラムがバージョンアップされると、バージョンアップした差分プログラムをサーバー１１より取り込んで、常に最新のプログラムを確保している。このように上記プログラムを所謂ダウンロードで取り寄せるようにして、プログラムの更新を行うようにしている。
【００３７】
また、ゴルフ打撃計測機１２は、顧客が初めてゴルフスイングの計測を行うと、顧客固有の登録パスワードを発行するようにしており、この登録パスワードも顧客情報としてサーバー１１へ送信される設定としている。
また、ゴルフ打撃計測機１２は、付設したモニター１２ｂで表示した推奨ゴルフ製品情報の中から顧客が選択して発注できるようにし、この発注情報を通信手段を介してサーバー１１へ送信し、サーバー１１で受注できるようにしている。
【００３８】
また、図１に示すように、サーバー１１は、パソコン等の情報端末器１３ａ、１３ｂやＰＤＡ等の各種携帯情報端末器１３ｃ、データの送受が可能な携帯電話１３ｄ等からなる端末機器１３とも通信ネットワーク１４を介して双方向通信を可能としている。これら端末機器１３としては、販売店に設置されているものや、顧客自身が有するものが使用可能である。
【００３９】
よって、顧客は端末機器１３を使用してサーバー１１のデータベース内のゴルフ製品情報を閲覧することを可能とし、また、顧客固有の登録パスワードを入力することで、顧客情報の内容を閲覧したり、自身のゴルフスイングの画像を閲覧することも可能としている。さらに。また、端末機器１３からも閲覧したゴルフ製品の中から発注することも可能としている。
【００４０】
上述したサーバー１１とゴルフ打撃計測機１２との間のデータの送受信の概略的な流れを図３に示す。
ゴルフ打撃計測機１２で顧客のゴルフスイングより計測した数値や画像等の計測結果は、サーバー１１へ送信され、顧客情報として顧客毎に登録保存される。同時に、この計測結果を解析して、ゴルフ製品情報の中から推奨するゴルフクラブ等を数種類選択する。選択した推奨製品情報をゴルフ打撃計測機１２へ送信する。ゴルフ打撃計測機１２は、この送信された製品情報をモニター１２ｂで表示し、顧客が確認する。
また、表示された推奨製品の中で顧客が購入を希望するものがある場合は、モニター１２ｂに表示された製品を画面上でタッチして注文する。
【００４１】
以下に、上述した本発明のゴルフ製品選択システム１０を、顧客が自分に適するゴルフクラブを選択して受注するまでの手順を、更に詳しく説明する。
【００４２】
先ず最初に、顧客は、全国各地に設置されているゴルフ打撃計測機１２の何れかを用いて、ゴルフスイングおよび打球を計測する。
【００４３】
ゴルフ打撃計測機１２は、計測を始めるに当たり、図４（Ａ）に示すようなメニュー画面２０をモニター１２ｂに表示している。顧客が計測を行うのが初めての場合は、初期設定の表示ボタン２０ａを選択すると、図４（Ｂ）のようなデータ入力画面２１となる。ここで、顧客の氏名、性別、年齢、身長、体重、メールアドレス等の必要項目が入力されると、顧客固有の登録パスワードが付与される。
【００４４】
上記顧客の初期情報の入力が終了すると、次に計測を行うため、図４（Ａ）のメニュー画面２０に戻り、測定スタートの表示ボタン２０ｂを選択して図５（Ａ）に示す、測定スタート画面２２を表示している。この測定スタート画面２２で計測に使用するゴルフクラブの種類を選択する。なお、選択の対象となるゴルフクラブの種類は、適宜、サーバー１１より内容を更新して各種類のゴルフクラブに対応できるようにしている。
【００４５】
上記使用クラブの選択が完了すると計測可能となり、ＣＣＤカメラ１５の前で、顧客が実際にゴルフボールを試打する。この時のゴルフスイングはＣＣＤカメラ１５により画像が取り込まれると共に、光学センサー式計測器１６により各スイング状況を検知する。上記計測により、図５（Ｂ）に示す結果画面２３に測定結果が各項目毎に表示する。
【００４６】
さらに、上記計測結果は、画像データ、顧客の初期データ、登録パスワードと共に、サーバー１１へ送信され、これら送信された各データは、当該顧客の顧客情報として、顧客毎に仕分けされてデータベース内に登録保存される。さらに、計測結果に関しては、サーバー１１によりデータベース内のゴルフ製品情報のゴルフクラブと比較判断がなされ、これら計測結果に基づいて推奨するゴルフクラブを数種選択し、これら推奨するゴルフクラブの情報をゴルフ打撃計測機１２へ送信する。
なお、サーバー１１は、計測結果に適応するレディメイドのゴルフクラブの中に該当するものが無い場合は、各種部品を組み合わせてカスタムメイドのゴルフクラブを提示する。
【００４７】
ゴルフ打撃計測機１２は、上記推奨ゴルフクラブ情報を受信すると、図６に示すように、推奨したゴルフクラブの表示画面２４が表示される。この表示により数十種類にも及ぶゴルフクラブから顧客が自身に適するものを選択する労力を低減して、ゴルフクラブの選択を容易としている。
さらに、表示されたものの中に顧客が購入を希望するゴルフクラブがあれば、モニター１２ｂの画面上より該当するゴルフクラブを触れて発注確認ボタン２４ａを選択すると、発注情報がサーバー１１へ送信され、サーバー１１で受注が行われている。
【００４８】
なお、顧客は何度でも、上記のようにゴルフ打撃計測機１２を用いて、試打することが可能であり、また、通信ネットワーク１４に接続されているゴルフ打撃計測機１２であれば、全国各地の販売店やゴルフ練習場の何れの計測機を使用してもよく、計測されたデータは、送信されてサーバー１１の顧客情報として時系列で蓄積される。よって、二回以降の計測からは、この蓄積された計測データも考慮されて比較判断を行い、一回のみの計測結果ではなく、より多くのデータを用いて顧客に最適なゴルフクラブを推奨する。
【００４９】
また、顧客は、ゴルフ打撃計測機１２以外にも端末機器１３でも推奨されたゴルフクラブを確認することができると共に、注文することができる。即ち、端末機器１３に自身の登録パスワードを入力すると、サーバー１１より計測結果により推奨されたゴルフクラブ情報や自身のスイング画像を取り寄せて、自宅等で購入をじっくり検討することも可能である。さらに、検討の結果、購入を決定すれば、端末機器１３の表示から購入を希望するゴルフクラブの型番を選択して注文することも可能である。
【００５０】
一方、サーバー１１は、顧客が計測を行った後日に新製品のゴルフクラブが発表され、データベース内のゴルフ製品情報が更新された場合は、新たなゴルフクラブとデータベース内の顧客情報の計測結果と比較判断を行い、新たなゴルフクラブに適する顧客が存在すれば、顧客のメールアドレスへゴルフクラブの新製品情報を送信する。
【００５１】
なお、本発明のゴルフ製品選択装置１０は、上記計測結果よりゴルフボールの種類も上記ゴルフクラブと同様に顧客のゴルフスイングに適合するものを選び出して、顧客に提示するようにしてもよい。
【００５２】
本発明は上記実施形態に限定されず、ゴルフ製品はゴルフクラブのみを対象としてもよい。
さらに、顧客の初期入力データとして、顧客の背筋力、握力等の体力的特性や、あるいは、顧客の嗜好するゴルフスタイル、例えば、飛び重視、コントロール重視等の機能的情報、カラーや形状等のデザイン情報もゴルフ打撃計測機１２、端末機器１３を介してサーバー１１に入力して、これらの情報も加味してサーバー１１により、一段と顧客に適応するゴルフ製品を推奨できるようにしてもよい。
【００５３】
【発明の効果】
上記した説明より明らかなように、本発明のゴルフ製品選択装置によると、ゴルフ製品情報およびゴルフ打撃計測機に対するプログラムの更新は、サーバーの一箇所のみで済むため、更新に要する手間やコストを大幅に削減することができる。さらに、顧客情報はサーバーで一括管理しているため、顧客の複数回の計測データを基に顧客に適する推奨ゴルフ製品を選び出すことができ、より顧客のスイング特性等に見合った製品を提示できる。
【００５４】
また、サーバーに入力される顧客情報は一つのゴルフ打撃計測機からの情報に限定されず、通信ネットワークに繋がれているゴルフ打撃計測機であれば、どの計測機からのサーバーへの入力を可能としているため、販売店やゴルフ練習場等に設置されている計測機を用いて容易に計測が可能となり、また、これら複数回の計測結果を用いることで、一段と精度の高いゴルフ製品の選択を行える。
【００５５】
さらに、顧客の体力情報や顧客の嗜好するゴルフスタイル等に関する情報も入力可能にしてサーバーへ送信することで、製品選択の際に、顧客のスイング特性に関する計測データに加え上記顧客の固有の情報も考慮することで、顧客のゴルフスタイルに一段と合致した製品情報を提供できる。
【００５６】
その上、ゴルフ打撃計測機および端末機器から選び出したゴルフ製品の注文を直接サーバーで受信できるため、受注に関する業務に要する手間を削減することができ、また、品番間違い等の不具合の発生も解消できる。
【図面の簡単な説明】
【図１】  本発明にかかるゴルフ製品選択装置を用いたシステムの全体図である。
【図２】  ゴルフ打撃計測機の概略斜視図である。
【図３】  ゴルフ打撃計測機とサーバーとの送受内容等を示すフローチャートである。
【図４】  （Ａ）は初期メニュー画面、（Ｂ）は、計測初期画面の入力画面である。
【図５】  （Ａ）は使用ゴルフクラブの選択画面、（Ｂ）は計測結果の結果画面である。
【図６】  ゴルフ製品の選択結果画面である。
【図７】  従来のゴルフ打撃計測機の概略斜視図である。
【符号の説明】
１０            ゴルフ製品選択装置
１１            サーバー
１１ａ          データベース
１１ｂ          演算処理手段
１１ｃ          通信手段
１２−１〜Ｘ    ゴルフ打撃計測機
１３            端末機器
１４            通信ネットワーク
【図１】
0004405053.tif 000002
【図２】
0004405053.tif 000003
【図３】
0004405053.tif 000004
【図４】
0004405053.tif 000005
【図５】
0004405053.tif 000006
【図６】
0004405053.tif 000007
【図７】
0004405053.tif 000008